(57)【要約】      （修正有）【課題】各種額縁の大きさに対応できると共に、飾る額縁の角度の調節を容易にでき、さらに、不使用時に簡単にコンパクトにできる額縁立てを提供する。【解決手段】本考案の額縁立て１は、平板状の台座１０と、該台座に嵌合して挿脱可能に前記台座に起立して挿着される平板状の背板２０とを備えた額縁立てであって、前記台座は、前端部上面から上方に立設された係止部１２ａ、１２ｂと、該係止部の後方にて前記台座の前方から後方に向けて順次穿設された複数の凹部１３ａ、１３ａ’を備え、前記背板は、平板状の本体の下端に前記凹部に挿入可能な凸部が設けられているものである。【選択図】図１
0003233288.tif 000002
【実用新案登録請求の範囲】
【請求項１】
額縁を立て掛ける，額縁立てであって，平板状の台座と，該台座に挿脱可能で該台座に前記額縁が起立して挿着される平板状の背板とを備え，
前記台座は，前端部上面から上方に立設された係止部と，該係止部の後方にて台座の前方から後方に向けて順次穿設された複数の凹部を備え，
前記背板は，平板状の本体の下端に前記凹部に挿入可能な凸部が設けられていることを特徴とする額縁立て。
【請求項２】
前記台座は，平板状の板体の前方側中央がコ字状に穿設され，前記係止部がコ字状を成す両前端部上面から垂直方向に一体に立設されたことを特徴とする請求項１記載の額縁立て。
【請求項３】
前記凹部が，前記台座の左右両側部に穿設される一対の孔を一組として台座の前方から後方にかけて順次設けられており，
前記背板が前記台座と略同幅であって，前記背板の下端左右に，前記一対の凹部に挿入可能な一対の凸部を備えたことを特徴とする請求項１又は２記載の額縁立て。
【請求項４】
前記台座の底面四隅にクッション材が設けられたことを特徴とする請求項１〜３いずれか１項記載の額縁立て。
【請求項５】
前記額縁の下端と当接する前記台座の上面及び係止部にクッション材が設けられたことを特徴とする請求項１〜４いずれか１項記載の額縁立て。
【考案の詳細な説明】
【技術分野】
【０００１】
本考案は，絵画，写真，書画，賞状等を収納した額縁を立て掛けておくための額縁立てに関するものである。
【背景技術】
【０００２】
従来の額縁立てとしては，例えば，図７に示すような，一対の脚体９２，９２で支持体９３の下部を挟持しボルト・ナット９４により固定することで組み立てられる額縁立て９１がある。
【０００３】
該額縁立て９１の前記脚体９２は，図８に示すように，平面視において基端の固定部９２ａより先端に向けて略「へ」の字状に屈曲して形成され，先端には額縁Ｗの下端を支持するための係止爪９５が設けられ，前記固定部９２ａに斜めの位置に２つの取付穴９２ｂ，９２ｂ’が穿設されている。
【０００４】
一方，前記支持体９３の下端部には，図９に示すように，前記脚体９２の取付穴９２ｂ，９２ｂ’に対応するように４つの取付穴９３ａ，９３ｂ，９３ｃ，９３ｄが穿設されている。
【０００５】
上述の構成により，前記額縁立て９１は，図７に示すように，前記脚体９２の固定部９２ａに前記支持体９３の下部を取り付ける際に取付穴９３ａ，９３ｃを用いた場合は支持体９３が直立状態で取りけられ，取付穴９３ｂ，９３ｄを用いた場合は支持体９３がやや前傾した状態で取り付られるものである（特許文献１）。
【先行技術文献】
【特許文献】
【０００６】
【特許文献１】実開昭５９−２２６２号公報
【考案の概要】
【考案が解決しようとする課題】
【０００７】
上述のように前記額縁立て９１は，例えば，前記額縁の大きさに対応するために又は飾る額縁の角度を変えたい場合に支持体９３の角度（前傾又は直立）を調節することができるが，支持体９３の角度を変えるにはボルト・ナット９４を一旦外してから再度取り付ける必要があり，調節作業が煩わしい問題があった。
【０００８】
また，不使用時においても，ボルト・ナット９４を外さないと，コンパクトにできない煩わしさがあった。
【０００９】
上述の問題点に鑑み，本考案は，各種額縁の大きさに対応できると共に，飾る額縁の角度の調節を容易にでき，さらに，不使用時に簡単にコンパクトにできる額縁立てを提供することを目的する。
【課題を解決するための手段】
【００１０】
以下に，課題を解決するための手段を，考案を実施するための形態で使用する符号と共に記載する。この符号は，実用新案登録請求の範囲の記載と考案を実施するための形態の記載との対応を明らかにするために記載したものであり，言うまでもなく，本考案の技術的範囲の解釈に制限的に用いられるものではない。
【００１１】
本考案の額縁立て１は，額縁Ｗを立て掛ける，額縁立て１であって，平板状の台座１０と，該台座１０に挿脱可能で該台座１０に前記額縁Ｗが起立して挿着される平板状の背板２０とを備え，
前記台座１０は，前端部上面から上方に立設された係止部１２（図１の実施形態では１２ａ，１２ｂ）と，該係止部１２の後方にて前記台座１０の前方から後方に向けて順次穿設された複数の凹部１３（図１の実施形態では，孔でもよいが，ここでは，一対の凹部１３ａ・１３ａ’と１３ｂ・１３ｂ’の２組;図３参照）を備え，前記背板２０は，平板状の本体２１の下端に前記凹部１３に嵌合して挿入可能な凸部２２（図１の実施形態では，一対の凸部２２ａ，２２ｂ;図４参照）が設けられているものである（請求項１）。
【００１２】
なお，前記台座１０は，平板状の板体の図３紙面下方に位置する前方側中央がコ字状に穿設され，前記係止部１２ａ，１２ｂがコ字状を成す両前端部上面から垂直方向に一体に立設されても良い（請求項２，図１，図３を参照。）。
【００１３】
また，本考案の額縁立て１は，前記凹部１３が，台座１０の左右両側部に穿設される一対の孔を一組として台座１０の前方から後方にかけて順次設けられており（図１の実施形態では，１３ａ・１３ａ’と１３ｂ・１３ｂ’の台座上に平行に２組設けられている。），前記背板２０が前記台座１０と略同幅であって，前記背板２０の下端左右に，前記一対の凹部１３に嵌合して挿入可能な一対の凸部２２ａ，２２ｂを備えていても良い（請求項３，図２，図３を参照。）。
【００１４】
また，本考案の額縁立て１は，前記台座１０の底面四隅にクッション材３１ａを設けても良い（請求項４）。
【００１５】
さらに，前記額縁Ｗの下端と当接する位置の前記台座１０の上面及び係止部１２にクッション材３１ｂ，３１ｃが設けられていても良い（請求項５，図６を参照）。
【考案の効果】
【００１６】
以上で説明した本考案の額縁立て１は，前記背板２０が前記台座１０に着脱自在に構成され，また，着脱方法が背板２０の凸部２２を台座１０の凹部１３に挿抜するのみで極めて容易であり，そして，前記台座１０の複数ある凹部１３への挿入位置を変えるだけで，背板２０の位置を前後に変えることができる。
【００１７】
上述のように，本考案の額縁立て１は，背板２０の前後位置を簡単に変えることができるため，額縁Ｗの大きさ，形状，厚さ等の相違に対応でき，また，飾る額縁Ｗの角度を容易に調節可能である。
【００１８】
また，前記台座１０と背板２０は共に平板状であり，額縁立て１の不使用時には背板２０を台座１０から外し，水平方向にして台座１０に重ねることでコンパクトに収納できる。
【図面の簡単な説明】
【００１９】
【図１】本考案の額縁立て１の一実施形態の全体を示す図。
【図２】図１の額縁立て１に額縁Ｗを立てかけた状態を示す図。
【図３】図１の額縁立て１を構成する台座１０の平面図。
【図４】図１の額縁立て１を構成する背板２０の正面図。
【図５】図１の額縁立て１の側面図。（背板の位置が前後する状態を示す図。）
【図６】図１の額縁立て１にクッション材３１を設けた図。
【図７】従来の額縁立て９１の全体図。
【図８】図７の額縁立て９１の脚体９２の斜視図。
【図９】図７の額縁立て９１の支持体９３の斜視図。
【考案を実施するための形態】
【００２０】
次に，本考案の一実施形態につき，添付図面を参照しながら説明する。
【００２１】
本実施形態の額縁立て１は，図１及び図２に示すように，額縁Ｗの下端を支持する台座１０と，該台座１０に挿脱可能で挿着時に該台座１０に略垂直に起立され前記額縁Ｗの背面を支持する背板２０とを備えた額縁立て１である。
【００２２】
前記台座１０は，図３に示すように，前方端縁がコ字状をなす切欠部を備えた平板状の本体１１から成る。
【００２３】
前記本体１１は，前記コ字状の両前端部上面から垂直方向に立設された係止部１２ａ，１２ｂを備えると共に，該係止部１２ａ，１２ｂの後方にて凹部１３が，左右両側部に穿設される一対の孔を一組として台座１０の前方から後方にかけて順次平行に（本実施形態では，１３ａ・１３ａ’と１３ｂ・１３ｂ’の２組）設けられている。なお，図２に示すように，前記係止部１２ａ，１２ｂにより，額縁Ｗの下端が前方へずれないように係止される。
【００２４】
一方，前記背板２０は，前記台座１０と略同幅の平板状であって，図４に示すように，平板状の本体２１の下端左右で，前記台座１０の一対の凹部１３ａ・１３ａ’又は１３ｂ・１３ｂ’に対応する位置に挿脱可能に設けた一対の凸部２２（２２ａ，２２ｂ）を有する。そして，背板２０は，該一対の凸部２２ａ，２２ｂを前記台座１０の凹部の任意の一組（１３ａ・１３ａ’又は，１３ｂ・１３ｂ’）に嵌入することによって，台座１０に垂直に支持される。なお，背板２０は，台座１０に対して略垂直に起立できれば良く，前記凹部１３が前記凸部２２より多少大きめに形成され，遊間（遊び）を有するようにしても良い。
【００２５】
上述の構成を備える額縁立て１は，前記背板２０の凸部２２ａ，２２ｂを前記台座１０の凹部１３ａ・１３ａ’，１３ｂ・１３ｂ’に抜き挿しするだけで，前記背板２０が前記台座１０に容易に着脱可能に構成されており，また，図５に示すように，背板２０の凸部２２ａ，２２ｂを前方の凹部１３ａ，１３ａ’又は後方の凹部１３ｂ，１３ｂ’を選択して嵌合ないし挿入することにより，図５に示すように，前記背板２０の位置を前記台座１０のコ字状切欠部に対して前後方向に移動できる。
【００２６】
上述のように，本考案の額縁立て１は，背板２０の前後位置を簡単に変えられるため，額縁Ｗの大きさ，形状，厚さ等の相違に対応でき，また，載置する額縁Ｗの角度を容易に調節可能である。
【００２７】
また，前記台座１０と背板２０は共に平板状であり，額縁立て１の不使用時には背板２０を台座１０から引き抜き，水平状にして台座１０に重ねることでコンパクトに収納できる。
【００２８】
また，図１に示す額縁立て１は，上述したように，台座１０の前方がコ字状切欠部を形成し，前記係止部１２が前記切欠部の両前端部上面から垂直方向に立設され，係止部１２を２つ有することで載置展示される額縁Ｗの自立性及び安定性を高めているが，本考案の額縁立て１の係止部１２は，例えば，台座１０を平面視方形の平板状とし，前記係止部１２を前方中央の１カ所のみに設ける等，額縁Ｗの下端が台座１０の前記切欠部側（前方）へずれないように係止できればよく，本考案の額縁立て１の係止部１２の構造は，特に限定されるものではない。
【００２９】
また，図１の額縁立て１は，前記凹部１３が，台座１０の左右両側部に穿設される一対の孔を一組として台座１０の前方から後方にかけて２組形成されているが，本考案の額縁立て１は，台座１０に起立される背板２０の前後位置を調整可能であれば凹部の数は限定されず，凹部の数をさらに３組，４組と増設しても良い。
【００３０】
また，図１の実施形態では，凹部１３が台座１０の左右両側部に穿設される一対の孔を一組として複数組設けられると共に，該一対の凹部１３に対応するように前記背板２０の下端左右に一対の凸部２２が設けられることで，台座１０に起立される背板２０の自立性と安定性を高めているが，本考案の額縁立て１は，台座１０に対し背板２０が起立可能であれば特に限定されず，例えば，前記凹部１３を台座１０の幅方向では中央の１カ所のみとし台座１０の前方から後方にかけて順次設け，該凹部１３に対応するように背板２０の下端中央の一カ所に凸部２２を設けるものであっても良い。
【００３１】
また，額縁立て１の設置面に対してすべり止め機能とクッション性を付与するために，図６に示すように，台座１０の底面四隅に，クッション材（緩衝部材）３１ａを設けても良い。前記クッション材３１ａとしては，例えばポリウレタンなどの合成樹脂製のバンポン（住友３Ｍ（株）の商品名）を好適に用いることができるがこれに限定されるものではない。
【００３２】
また，額縁Ｗに対するすべり止め機能とクッション性を付与するために，図６に示すように，前記台座１０の前記額縁Ｗの下端と当接する台座１０の上面と係止部１２ａ，１２ｂに，上述のクッション材３１ｂ，３１ｃを設けても良い。
【００３３】
また，本考案の額縁立て１は，アクリル樹脂で形成され全体が透明であることが好ましいが，他の樹脂やガラス板等から形成されても良く，また，透明に限定されるものでもない。
【符号の説明】
【００３４】
１  額縁立て      Ｗ：額縁
１０  台座
１１  本体
１２（１２ａ，１２ｂ）  係止部
１３（１３ａ，１３ｂ，１３ａ’，１３ｂ’）  凹部
２０  背板
２１  本体
２２  凸部（２２ａ，２２ｂ）
３１  クッション材
３１ａ  クッション材
３１ｂ  クッション材
３１ｃ  クッション材
９１  額縁立て
９２  脚体
９２ａ  固定部
９２ｂ，９２ｂ’   取付穴
９３  支持体
９３ａ，９３ｂ，９３ｃ，９３ｄ  取付穴
９４  ボルト・ナット
９５  係止爪
【図１】
0003233288.tif 000003
【図２】
0003233288.tif 000004
【図３】
0003233288.tif 000005
【図４】
0003233288.tif 000006
【図５】
0003233288.tif 000007
【図６】
0003233288.tif 000008
【図７】
0003233288.tif 000009
【図８】
0003233288.tif 000010
【図９】
0003233288.tif 000011